(57)【要約】【課題】車イス等を利用する身体障害者であっても、無用な労力を強いられることなく、迅速，容易かつスムースに開けることができる利便性の高い身体障害者用ドアの提供する。【解決手段】少なくとも身体障害者が出入りする身体障害者用ドア１を構成するに際して、回動部２により左右方向一側が回動自在に支持されたドア本体部３に、左右方向他側における少なくとも側辺３ｓの一部と底辺３ｄの一部を含むドア面を切欠いた切欠部４を形成し、この切欠部４に、少なくとも当該切欠部４を閉塞する閉塞位置Ｘｃ又は当該切欠部４を開放する開放位置Ｘｏに変位する補助ドア部５を付設する。【選択図】図１
2004036197.tif 000002
【特許請求の範囲】
【請求項１】
少なくとも身体障害者が出入りする身体障害者用ドアにおいて、回動部により左右方向一側が回動自在に支持されたドア本体部に、左右方向他側における少なくとも側辺の一部と底辺の一部を含むドア面を切欠いた切欠部を形成し、この切欠部に、少なくとも当該切欠部を閉塞する閉塞位置又は当該切欠部を開放する開放位置に変位する補助ドア部を付設したことを特徴とする身体障害者用ドア。
【請求項２】
前記ドア本体部は、複数の分割ドア部を回動部を介して左右方向に連結した複合ドア本体部として構成することを特徴とする請求項１記載の身体障害者用ドア。
【請求項３】
前記ドア本体部は、一枚の単一ドア本体部として構成することを特徴とする請求項１記載の身体障害者用ドア。
【請求項４】
前記補助ドア部は、前記ドア本体部のドア面に沿ってスライド自在に取付けることを特徴とする請求項１記載の身体障害者用ドア。
【請求項５】
前記補助ドア部は、上端に設けたローラ部を、前記ドア本体部の内部に設けたガイドレール部に装填することを特徴とする請求項４記載の身体障害者用ドア。
【発明の詳細な説明】
【０００１】
【発明の属する技術分野】
本発明は、車イス等を利用する身体障害者が出入りするための身体障害者用ドアに関する。
【０００２】
【背景及び課題】
一般に、回動部により左右方向一側が回動自在に支持された回動式ドアの場合、車イスを利用する身体障害者にとっては、開けようとするドアが車イスに当たってしまうため、開くドアに対して避けた位置でドアを開ける必要があるなど、容易かつスムースに開けることができず、無用な労力を強いられるとともに、時間もかかり、その操作が極めて不便となる。
【０００３】
このため、通常は、スライド式ドアやアコーディオン式ドア等を用いることも多いが、現実には、ドア設置場所の構造，遮音性や断熱性などを確保する必要性から、回動式ドアを設置せざるを得ない場合も少なくなく、従来より、回動式ドアの有する不具合を解消した身体障害者用ドアの設置が要請されていた。
【０００４】
本発明は、このような従来の要請に応えたものであり、車イス等を利用する身体障害者であっても、無用な労力を強いられることなく、迅速，容易かつスムースに開けることができる利便性の高い身体障害者用ドアの提供を目的とする。
【０００５】
【課題を解決するための手段及び実施の形態】
本発明は、少なくとも身体障害者が出入りする身体障害者用ドア１を構成するに際して、回動部２により左右方向一側が回動自在に支持されたドア本体部３に、左右方向他側における少なくとも側辺３ｓの一部と底辺３ｄの一部を含むドア面を切欠いた切欠部４を形成し、この切欠部４に、少なくとも当該切欠部４を閉塞する閉塞位置Ｘｃ又は当該切欠部４を開放する開放位置Ｘｏに変位する補助ドア部５を付設したことを特徴とする。
【０００６】
この場合、好適な実施の形態により、ドア本体部３は、複数の分割ドア部１１，１２を回動部１３を介して左右方向に連結した複合ドア本体部３ｘとして構成することができるとともに、一枚の単一ドア本体部３ｙとして構成することもできる。また、補助ドア部５は、補助ドア部５の上端に設けたローラ部１５…を、ドア本体部３の内部に設けたガイドレール部１６…に装填し、ドア本体部３のドア面に沿ってスライド自在に取付けることができる。
【０００７】
これにより、本発明に係る身体障害者用ドア１の場合、健常者はドア本体部３を一般のドアと同様に開けることができる。一方、車イス等を利用する身体障害者は、閉塞位置Ｘｃにある補助ドア部５を、ドア本体部３のドア面に沿ってスライドさせるなどにより開放位置Ｘｏに変位させ、この状態で身体障害者用ドア１を開ければ、ドア本体部３の切欠部４が開放されているため、車イス等に当てることなくそのまま開けることができる。
【０００８】
【実施例】
次に、本発明に係る好適な実施例を挙げ、図面に基づき詳細に説明する。
【０００９】
まず、本実施例に係る身体障害者用ドア１の構成について、図１〜図５を参照して説明する。
【００１０】
図１は、住宅や病院等の施設における壁面Ｗの出入口Ｔに付設した身体障害者用ドア１を示す。３はドア本体部であり、このドア本体部３は、二枚の分割ドア部１１，１２を回動部１３を介して左右方向に連結し、複合ドア本体部３ｘとして構成する。この場合、回動部１３の構成は次のようになる。分割ドア部１１と１２は突き合わせた状態にし、両者の上端面間に跨がった連結プレート２１により分割ドア部１１と１２を回動自在に連結するとともに、両者の下端面間に跨がった連結プレート２２により分割ドア部１１と１２を回動自在に連結する（図４及び図５参照）。さらに、分割ドア部１１と１２を突き合わせた部位の上端部には、それぞれギア部２３と２４を形成して相噛合させるとともに、下端部には、それぞれギア部２５と２６を形成して相噛合させる。
【００１１】
また、一方の分割ドア部１１は、図１に示すように幅狭に形成し、右側端部における上下面に設けた一対の回動軸２７，２７を、出入口Ｔの右側端部における上下面に回動自在に取付けるとともに、他方の分割ドア部１２は、幅広に形成し、上面の中間位置に設けた係合ピン２８を、対向する出入口Ｔの上面に設けたスリット状のガイドレール２９に係合させる。これにより、係合ピン２８はガイドレール２９に沿って左右方向に変位自在となる。よって、係合ピン２８とガイドレール２９は、回動部２を構成することになり、ドア本体部３の左右方向一側が、この回動部２により回動自在に支持される。この場合、回動部２は、係合ピン２８とガイドレール２９を特定するものではなく、前述した回動部１３又は回動軸２７，２７も回動部２として位置付けてもよい。なお、本明細書で記載する左右方向とは、図１に基づく方向である。
【００１２】
さらに、ドア本体部３には切欠部４を形成する。この切欠部４は、分割ドア部１２の左側端部の側辺３ｓの一部、即ち、下端から所定高さの位置までと、底辺３ｄの一部、即ち、左端から右方へ所定長さの位置までを含む矩形面を切欠いて形成する。そして、切欠部４には、当該切欠部４を閉塞する閉塞位置Ｘｃ又は当該切欠部４を開放する開放位置Ｘｏに変位する補助ドア部５を付設する。
【００１３】
この場合、補助ドア部５は、上端に設けたローラ部１５…を、ドア本体部３の内部に設けたガイドレール部１６…に装填することにより、ドア本体部３のドア面に沿ってスライド自在に取付ける。即ち、図３に示すように、分割ドア部１２を前後一対のドアパネル３１，３２と、このドアパネル３１と３２間に介在させた複数のセパレータ３３…により構成し、このドアパネル３１と３２間に、矩形の補助ドア部５を収容可能に構成するとともに、ガイド機構Ｇにより補助ドア部５を支持する。このガイド機構Ｇは、各ドアパネル３１，３２の内面に水平に固定した一対のガイドレール部１６，１６を有し、このガイドレール部１６，１６の上面に、補助ドア部５の上端に回動自在に取付けた複数のローラ部１５…を装填させる。
【００１４】
これにより、補助ドア部５は、ドア本体部３のドア面に沿ってスライド自在となり、上述した閉塞位置Ｘｃ又は開放位置Ｘｏへ選択的に変位させることができる。特に、このような構成、即ち、補助ドア部５の上端に設けたローラ部１５…を、ドア本体部３の内部に設けたガイドレール部１６…に装填し、ドア本体部３のドア面に沿ってスライド自在に取付ける構成により、補助ドア部５の操作を容易かつスムースに行うことができる。この場合、閉塞位置Ｘｃでは、補助ドア部５の上部と右部は分割ドア部１２に対してオーバラップし、切欠部４は、補助ドア部５により完全に閉塞される。なお、閉塞位置Ｘｃと開放位置Ｘｏでは、所定の規制部により補助ドア部５に対する位置規制が行われる。
【００１５】
また、補助ドア部５には取手３５を設ける。この場合、取手３５は、高さ方向に長い単一の取手３５として構成することもできるが、実施例のように、健常者用の第一取手３５ａと身体障害者用の取手３５ｂの二つに分けて設けることもできる。このように分ければ、車イス等に座った身体障害者と健常者の双方が、共に自然な状態で取手３５ａ，３５ｂを操作することができる。なお、実施例の取手３５ａは、手で握り、回すことにより、出入口Ｔの左側内面と補助ドア部５間のキーロックを解除できるノブにより構成する場合を示すとともに、取手３５ｂは、手で握り、右方へ押すことにより、キーロックを解除できるハンドルにより構成する場合を示す。
【００１６】
さらに、分割ドア部１２の内部には、自然状態において補助ドア部５を閉塞位置Ｘｃに戻す付勢機構Ｓを配設する。付勢機構Ｓは、一端を分割ドア部１２の右端位置に固定したスプリング３６と、分割ドア部１２の左端位置に配設したガイドローラ３７，３８と、一端をスプリング３６の他端に結合し、かつ他端側をガイドローラ３７，３８を介して補助ドア部５の左端に結合したワイヤ３９を備える。
【００１７】
次に、本実施例に係る身体障害者用ドア１の使用方法及び機能について、図１〜図５を参照して説明する。
【００１８】
まず、身体障害者用ドア１の補助ドア部５は、自然状態の場合、付勢機構Ｓにより、左方向に付勢され、位置規制された閉塞位置Ｘｃにある。したがって、ドア本体部３における切欠部４は、図１に示すように、補助ドア部５により完全に閉塞され、断熱性及び遮音性等の必要なドア特性が確保される。
【００１９】
そして、閉じている身体障害者用ドア１を開ける場合、健常者は、取手３５ａを手で握り、回すことによりキーロックを解除できるため、この状態で手前に引けば、通常のドアと同様に、身体障害者用ドア１を開けることができる。実施例のドア本体部３は、複合ドア本体部３ｘとして構成するため、分割ドア部１１と１２は、開けた際に、図５に仮想線で示すように折り畳まれる。これにより、補助ドア部５の左端の変位軌跡は、鎖線矢印Ｋｃｘのようになる。
【００２０】
一方、車イスＣに座った身体障害者が操作する場合を説明する。この場合、取手３５ｂを手で握り、右方へ押すことによりキーロックが解除されるため、そのまま右方へ押してスライド移動させる。これにより、補助ドア部５を閉塞位置Ｘｃから開放位置Ｘｏへ変位させることができる。そして、補助ドア部５が位置規制された開放位置Ｘｏに達したなら、その状態で取手３５ｂを手前に引けば、身体障害者用ドア１を開けることができる。この際、ドア本体部３の切欠部４は開放されているため、図４に示すように、補助ドア部５の左端の変位軌跡は、鎖線矢印Ｋｏｘのようになり、たとえ、車イスＣの身体障害者が、身体障害者用ドア１の手前で操作しても、車イスＣに当てることなくそのまま開けることができる。特に、実施例は、ドア本体部３を、複数の分割ドア部１１，１２を回動部１３を介して左右方向に連結した複合ドア本体部３ｘとして構成したため、身体障害者用ドア１を開ける際における手前への飛出量をより少なくすることができる。なお、図４における鎖線矢印Ｋｃｘは、前述した健常者が操作した際の閉塞位置Ｘｃにおける補助ドア部５の左端の変位軌跡を示す。
【００２１】
このように、本実施例の身体障害者用ドア１によれば、健常者はドア本体部３を一般のドアと同様に開けることができるとともに、車イスＣ等を利用する身体障害者は、身体障害者用ドア１の手前まで進み、閉塞位置Ｘｃにある補助ドア部５を、ドア本体部３のドア面に沿ってスライドさせることにより開放位置Ｘｏに変位させ、この状態でドア本体部３を開けることができるため、無用な労力を強いられることなく、迅速，容易かつスムースに開けることができるなど、車イスＣ等を利用する身体障害者に対する利便性を飛躍的に高めることができる。
【００２２】
次に、本発明の変更実施例に係る身体障害者用ドア１について、図６を参照して説明する。図６に示す変更実施例は、ドア本体部３を、一枚の単一ドア本体部３ｙとして構成したものである。この場合、開放位置Ｘｏにおける補助ドア部５の左端における変位軌跡Ｋｏｙは、図１に示した複合ドア本体部３ｘにおける変位軌跡Ｋｏｘよりも手前に位置することになるが、補助ドア部５を設けないドア本体部（閉塞位置Ｘｃにある補助ドア部５）の左端の変位軌跡Ｋｃｙよりも壁面Ｗ側に近づけることができ、車イスＣを利用する身体障害者は、よりドア面に近づいて身体障害者用ドア１を開けることができる。なお、図６に示す変更実施例は、ドア本体部３を一枚の単一ドア本体部３ｙとして構成した点を除き、他の構成は、図１〜図５に示した実施例と同じである。このため、図６において、図１〜図５と同一部分には、同一符号を付してその構成を明確にするとともに、その詳細な説明は省略する。
【００２３】
以上、実施例について詳細に説明したが、本発明はこのような実施例に限定されるものではなく、細部の構成，形状，大きさ，素材等において、本発明の要旨を逸脱しない範囲で任意に変更，追加，削除することができる。
【００２４】
【発明の効果】
このように、本発明に係る身体障害者用ドアは、回動部により左右方向一側が回動自在に支持されたドア本体部に、左右方向他側における少なくとも側辺の一部と底辺の一部を含むドア面を切欠いた切欠部を形成し、この切欠部に、少なくとも当該切欠部を閉塞する閉塞位置又は当該切欠部を開放する開放位置に変位する補助ドア部を付設したため、次のような顕著な効果を奏する。
【００２５】
（１）　車イス等を利用する身体障害者であっても、無用な労力を強いられることなく、迅速，容易かつスムースに開けることができ、利便性を飛躍的に高めることができる。
【００２６】
（２）　好適な実施の形態により、ドア本体部を、複数の分割ドア部を回動部を介して左右方向に連結した複合ドア本体部として構成すれば、身体障害者用ドアを開ける際における手前への飛出量をより少なくすることができる。
【００２７】
（３）　好適な実施の形態により、補助ドア部の上端に設けたローラ部を、ドア本体部の内部に設けたガイドレール部に装填し、ドア本体部のドア面に沿ってスライド自在に取付ければ、補助ドア部の操作を容易かつスムースに行うことができる。
【図面の簡単な説明】
【図１】本発明の好適な実施例に係る身体障害者用ドアの正面図、
【図２】同身体障害者用ドアにおける要部の内部構造図（図３中Ｂ−Ｂ線断面）、
【図３】同身体障害者用ドアにおける要部の内部構造図（図２中Ａ−Ａ線断面）、
【図４】同身体障害者用ドアを車イスの身体障害者が開ける際の作用説明用平面図、
【図５】同身体障害者用ドアを健常者が開ける際の作用説明用平面図、
【図６】本発明の変更実施例に係る身体障害者用ドアの平面図、
【符号の説明】
１　　　身体障害者用ドア
２　　　回動部
３　　　ドア本体部
３ｓ　　ドア本体部の側辺
３ｄ　　ドア本体部の底辺
３ｘ　　複合ドア本体部
３ｙ　　単一ドア本体部
４　　　切欠部
５　　　補助ドア部
１１　　分割ドア部
１２　　分割ドア部
１３　　回動部
１５…　ローラ部
１６…　ガイドレール部
Ｘｃ　　閉塞位置
Ｘｏ　　開放位置
【図１】
2004036197.tif 000003
【図２】
2004036197.tif 000004
【図３】
2004036197.tif 000005
【図４】
2004036197.tif 000006
【図５】
2004036197.tif 000007
【図６】
2004036197.tif 000008